(57)【要約】      （修正有）【課題】トレイの底面が汚れることを防止することができる小動物用トイレを提供する。【解決手段】上方開口状のトレイ１と、トレイ１の底面２及び周囲壁３の内面４を全て被覆する大きさの吸水シート５と、トレイ１に載置される糞尿落下スノコ部６を一体に有するカバー部材７とを、備える。吸水シートがトレイ１の周囲壁３の上端縁１３にて、下方へ折返した折返片部１４を、カバー部材７に形成された横断面倒立Ｊ字状乃至Ｕ字状の挟持凹溝部１５にて、固定するように構成する。【選択図】図３
2020080711.tif 000002
【特許請求の範囲】
【請求項１】
上方開口状のトレイ（１）と、該トレイ（１）の底面（２）及び周囲壁（３）の内面（４）を全て被覆する大きさの吸水シート（５）と、上記トレイ（１）に載置される糞尿落下スノコ部（６）を一体に有するカバー部材（７）とを、備え、
上記吸水シート（５）が上記トレイ（１）の周囲壁（３）の上端縁（13）にて、下方へ折返した折返片部（14）を、上記カバー部材（７）に形成された横断面倒立Ｊ字状乃至Ｕ字状の挟持凹溝部（15）にて、固定するように構成したことを特徴とする小動物用トイレ。
【請求項２】
上記吸水シート（５）を上記トレイ（１）の上記周囲壁（３）の上端縁（13）の一部に取着するためのクリップ（23）を備えた請求項１記載の小動物用トイレ。
【発明の詳細な説明】
【技術分野】
【０００１】
本発明は、小動物用トイレに関する。
【背景技術】
【０００２】
従来、うさぎ等の小動物を、ケージ内にて飼育する場合、ケージにトイレを付設するのが、一般的である（例えば、特許文献１参照）。
【先行技術文献】
【特許文献】
【０００３】
【特許文献１】特開２００７−０７４９９６号公報
【発明の概要】
【発明が解決しようとする課題】
【０００４】
特許文献１記載の小動物用トイレは、図９の矢印Ｚに示すように、尿が給水シート30の裏側へ回り込み、トレイ40の内面41が汚れるという問題があった。また、吸水シート30が全面的に（周縁部も）糞尿を受けて汚れるので、吸水シート30を交換する際、手が汚れるという問題があった。また、吸水シート30の大きさが、トレイ40の底面42と略同一乃至トレイ40の底面42より小さいので、吸水シート30が位置ずれするという問題がある。
【０００５】
そこで、本発明は、トレイの内面が汚れることを防止することができ、かつ、手を汚さずに、吸水シートを交換することができる小動物用トイレを提供することを目的とする。また、吸水シートの位置ずれを防止することができて、確実に小動物の糞尿を収集することができる小動物用トイレを提供することを目的とする。さらに、使用済みの吸水シートを容易に取出すことができる小動物用トイレを提供することを目的とする。
【課題を解決するための手段】
【０００６】
そこで、本発明に係る小動物用トイレは、上方開口状のトレイと、該トレイの底面及び周囲壁の内面を全て被覆する大きさの吸水シートと、上記トレイに載置される糞尿落下スノコ部を一体に有するカバー部材とを、備え、上記吸水シートが上記トレイの周囲壁の上端縁にて、下方へ折返した折返片部を、上記カバー部材に形成された横断面倒立Ｊ字状乃至Ｕ字状の挟持凹溝部にて、固定するように構成したものである。
また、上記吸水シートを上記トレイの上記周囲壁の上端縁の一部に取着するためのクリップを備えたものである。
【発明の効果】
【０００７】
本発明の小動物用トイレによれば、トレイの内面が汚れることを防止することができ、かつ、手を汚さずに、吸水シートを交換することができる。また、吸水シートの位置ずれを防止することができて、確実に小動物の糞尿を収集することができる。さらに、使用済みの吸水シートを容易に取出すことができる。
【図面の簡単な説明】
【０００８】
【図１】本発明の実施の一形態を示す分解斜視図である。
【図２】平面図である。
【図３】図２のＡ−Ａ断面拡大図である。
【図４】ベース部材を示す正面図である。
【図５】側面図である。
【図６】背面図である。
【図７】図６のＢ−Ｂ断面図である。
【図８】作用説明図である。
【図９】従来例を示す断面図であって、（Ａ）は使用状態を示す断面図であり、（Ｂ）は使用状態を示す要部拡大断面図である。
【発明を実施するための形態】
【０００９】
以下、図示の実施の形態に基づいて本発明を詳説する。
図１〜図３は、本発明の実施の一形態を示し、この小動物用トイレは、ウサギ等の小動物用であって、上方開口状のトレイ１と、トレイ１の底面（底壁内面）２及び周囲壁３の内面４を全て被覆する大きさの矩形状吸水シート５と、トレイ１に載置される格子状糞尿落下スノコ部６を一体に有するカバー部材７とを、備える。
【００１０】
カバー部材７は、平面視長方形状に形成される。カバー部材７は、前壁８、左右側壁９、及び、後壁10を有する。前壁８及び左右側壁９が、トレイ１の周囲壁３の外側に配設されるととともに、後壁10の下端部11が、トレイ１の周囲壁３の内側に配設される。後壁10が、カバー部材７の前後方向のずれを防止するためのずれ防止突片12を有する。
【００１１】
後壁10はスノコ部６よりも高く形成され、かつ、左右側壁９の後半部は、スノコ部６よりも高く形成された起立壁部９Ａを有する。
【００１２】
後方左右隅部28は、上記起立壁部９Ａと後壁10によって平面視門型に形成される。ウサギの習性としては、隅部にお尻を接触させて糞尿を行うことを好む。従って、図示のように、後方左右隅部28，28は、ウサギについて望ましい形状である。
【００１３】
吸水シート５がトレイ１の周囲壁３の上端縁13にて、下方へ折返した折返片部14を、カバー部材７に形成された横断面倒立Ｊ字状乃至Ｕ字状の挟持凹溝部15にて、固定するように構成される。
【００１４】
図３に示すように、スノコ部６の横断面形状は、倒立涙形状に形成される。スノコ部６の横断面形状が倒立涙形状なので、小動物が怪我をしにくく、小動物の足がスノコ部６に入っても、容易に足を抜くことができる。また、尿が滴下しやすく、尿の滞留を防止できる。
【００１５】
16は、ケージＣに取着するための取付部材を示す。取付部材16は、ベース部材17（図４〜図７参照）とナット部材18とから成る。カバー部材７の後壁10に、上下方向のスライド用凹溝19が形成される。ベース部材17に、スライド用凹溝19に嵌合状に配設されて、ベース部材17を上下方向にスライド自在とするスライド用突条部20が、形成される。ベース部材17が、カバー部材７の（スライド用凹溝19近傍の）一部25を下方から受持する受持片部26を有する。ベース部材17とナット部材18にて、ケージ（ワイヤ柵）Ｃに確実に固着することができるとともに、トレイ１を上下方向にスライドさせることにより、容易に着脱することができる。
【００１６】
ベース部材17は、雄ネジ部21を有する。雄ネジ部21は、４分割されている。即ち、雄ネジ部21は、４つの雄ネジ分割片部22から成る。ナット部材18は、雄ネジ部21に螺合する。
【００１７】
吸水シート５をトレイ１の周囲壁３の上端縁13の一部（一辺）に取着するためのクリップ23を備える。具体的には、２つのクリップ23を、トレイ１の後壁27の上端縁24に取着する。即ち、吸水シート５は、１辺が、クリップ23にてトレイ１に取着されるとともに、他の３辺が、カバー部材７挟持凹溝部15にてトレイ１に取着される。
【００１８】
次に、作用について説明する。図８に示すように、小動物が糞尿をする使用状態に於て、吸水シート５の周囲が、トレイ１とカバー部材７とクリップ23によって保持されているので、糞尿が給水シート５の裏側へ回り込むことを防止することができ、トレイ１の底面２、及び、周囲壁３の内面４が汚れることを防止することができる。図８に於て、Ｓは、吸水及び消臭用の砂（いわゆるトイレ砂）を示す。Ｈは、ウサギの糞を示す。
【００１９】
使用済みの吸水シート５をトレイ１から取外す際、まず、カバー部材７を取外すが、その際、前述の隅部28を形成する起立壁部９Ａと後壁10から成るＬ字形状起立部を手で持上げるとき、安定して持上げでき、しかも、手が全く汚れないで済む。
【００２０】
次に、吸水シート５の周縁部５ａを指Ｆで摘んで、矢印Ｙに示すように持上げ、上方へ引張って取外す。吸水シート５の周縁部５ａが汚れていないので、吸水シート５を交換する際、手が汚れず、使用済みの吸水シート５を容易に取出すことができる。
【００２１】
なお、本発明は、設計変更可能であって、例えば、カバー部材７を、平面視半円型、長円型等とするも良い。
【００２２】
以上のように、本発明は、上方開口状のトレイ１と、該トレイ１の底面２及び周囲壁３の内面４を全て被覆する大きさの吸水シート５と、上記トレイ１に載置される糞尿落下スノコ部６を一体に有するカバー部材７とを、備え、上記吸水シート５が上記トレイ１の周囲壁３の上端縁13にて、下方へ折返した折返片部14を、上記カバー部材７に形成された横断面倒立Ｊ字状乃至Ｕ字状の挟持凹溝部15にて、固定するように構成したので、糞尿が、吸水シート５の裏側に漏れることを防止することができる。即ち、トレイ１の底面２、及び、周囲壁３の内面４が、汚れることを防止することができ、かつ、吸水シート５を交換する際、手が汚れず、使用済みの吸水シート５を容易に取出すことができる。また、吸水シート５の位置ずれを防止することができて、確実に小動物の糞尿を収集することができる。
【００２３】
また、上記吸水シート５を上記トレイ１の上記周囲壁３の上端縁13の一部に取着するためのクリップ23を備えたので、容易かつ確実に吸水シート５を周囲壁３に取着することができる。そして、カバー部材７を、吸水シート５を介在させつつトレイ１に嵌合する際、吸水シート５がずれることを防止することができる。また、吸水シート５の交換を、容易かつ迅速に行うことができる。
【符号の説明】
【００２４】
１  トレイ
２  底面
３  周囲壁
４  内面
５  吸水シート
６  （格子状）糞尿落下スノコ部
７  カバー部材
13  上端縁
14  折返片部
15  挟持凹溝部
23  クリップ
【図１】
2020080711.tif 000003
【図２】
2020080711.tif 000004
【図３】
2020080711.tif 000005
【図４】
2020080711.tif 000006
【図５】
2020080711.tif 000007
【図６】
2020080711.tif 000008
【図７】
2020080711.tif 000009
【図８】
2020080711.tif 000010
【図９】
2020080711.tif 000011